(57)【要約】【課題】  ヒートシール等による接着において微妙な接着強度を調整することは極めて困難であり、接着された包装袋は、時に接着強度が非常に強く、特に老人や子供にとって開封することが困難な場合がある。また、例えば、複数のお菓子を食べるときなど、手に油等の汚れがついている場合は非常に開封しずらい。そのため、開封の容易な食品包装体及びかかる食品包装体を用いた包装食品を提供する。【解決手段】  合掌シール部１６を有する食品を収納するための収納袋１８と、該収納袋１８に取り付けられた開封時に把持して開封を容易にするための把持部材２０とを備えたことを特徴とする食品包装袋１０及びかかる食品包装袋１０を用いた食品包装体である。【選択図】    図１
2005145532.tif 000002
【特許請求の範囲】
【請求項１】
合掌シール部を有する食品を収納するための収納袋と、該収納袋に取り付けられた開封時に把持して開封を容易にするための把持部材とを備えたことを特徴とする食品包装袋。
【請求項２】
把持部材が棒状部材であることを特徴とする請求項１に記載の食品包装袋。
【請求項３】
把持部材が、合掌シール部が設けられた面の対向面側に配置されていることを特徴とする請求項１又は２に記載の食品包装袋。
【請求項４】
把持部材が包装されていることを特徴とする請求項１〜３のいずれかに記載の食品包装袋。
【請求項５】
把持部材が収納袋の一部によって包装されていることを特徴とする請求項４に記載の食品包装袋。
【請求項６】
把持部材が収納袋に収納された食品を食することが可能な食用部材であることを特徴とする請求項１〜５のいずれかに記載の食品包装袋。
【請求項７】
食用部材がはしであることを特徴とする請求項６に記載の食品包装袋。
【請求項８】
スナック菓子包装用であることを特徴とする請求項１〜７のいずれかに記載の食品包装袋。
【請求項９】
請求項１〜８のいずれかに記載の食品包装袋と、該食品包装袋に収納された食品とを備えたことを特徴とする食品包装体。
【請求項１０】
食品がスナック菓子であることを特徴とする請求項９に記載の食品包装体。
【発明の詳細な説明】
【技術分野】
【０００１】
本発明は、例えば、スナック菓子を収納するための食品包装袋及び該食品包装袋を用いた食品包装体に関する。
【背景技術】
【０００２】
従来より、スナック菓子等の食品は、ヒートシール等により形成された合掌シール部を有する包装袋に収納されて販売されている（例えば、特許文献１参照。）。この包装袋を開封するには、一般に、中央に縦方向に形成された合掌シール部とそれに対向する側の収納袋の一部をつまんで両側に引っ張ることにより開封している。
【０００３】
【特許文献１】意匠登録１１３４０５９号公報
【発明の開示】
【発明が解決しようとする課題】
【０００４】
しかしながら、ヒートシール等による接着において微妙な接着強度を調整することは極めて困難であり、接着された包装袋は、時に接着強度が非常に強く、特に老人や子供にとって開封することが困難な場合がある。また、例えば、複数のお菓子を食べるときなど、手に油等の汚れがついている場合は非常に開封しずらい。
本発明はかかる実状に鑑みてなされたものであり、本発明の課題は、開封の容易な食品包装袋及びかかる食品包装袋を用いた食品包装体を提供することにある。
【課題を解決するための手段】
【０００５】
本発明者は、合掌シール部を有する食品包装袋において、高度な技術を要する接着強度の調整等によらず、子供や老人であっても容易に開封することができる食品包装袋を開発すべく鋭意研究した結果、開封時に把持することができる把持部材を取り付けることにより容易に食品包装袋を開封できることを見い出し、本発明を完成するに至った。
【０００６】
すなわち本発明は、合掌シール部を有する食品を収納するための収納袋と、該収納袋に取り付けられた開封時に把持して開封を容易にするための把持部材とを備えたことを特徴とする食品包装袋（請求項１）や、把持部材が棒状部材であることを特徴とする請求項１に記載の食品包装袋（請求項２）や、把持部材が、合掌シール部が設けられた面の対向面側に配置されていることを特徴とする請求項１又は２に記載の食品包装袋（請求項３）や、把持部材が包装されていることを特徴とする請求項１〜３のいずれかに記載の食品包装袋（請求項４）や、把持部材が収納袋の一部によって包装されていることを特徴とする請求項４に記載の食品包装袋（請求項５）や、把持部材が収納袋に収納された食品を食することが可能な食用部材であることを特徴とする請求項１〜５のいずれかに記載の食品包装袋（請求項６）や、食用部材がはしであることを特徴とする請求項６に記載の食品包装袋（請求項７）や、スナック菓子包装用であることを特徴とする請求項１〜７のいずれかに記載の食品包装袋（請求項８）や、請求項１〜８のいずれかに記載の食品包装袋と、該食品包装袋に収納された食品とを備えたことを特徴とする食品包装体（請求項９）や、食品がスナック菓子であることを特徴とする請求項９に記載の食品包装体（請求項１０）に関する。
【発明の効果】
【０００７】
本発明によれば、開封の容易な食品包装袋及びかかる食品包装袋を用いた食品包装体を提供することができる。
【発明を実施するための最良の形態】
【０００８】
本発明の食品包装袋としては、合掌シール部を有する食品を収納するための収納袋と、該収納袋に取り付けられた開封時に把持して開封を容易にするための把持部材とを備えていれば特に制限されるものではなく、本発明の食品包装袋は非常に容易に開封することができる。特に、老人や子供であっても容易に開封することができ、また、手で食品を食した後のように油等で手が汚れている場合であっても容易に開封することができる。さらに、高度な技術を要するシール部分の密着強度の調整も比較的幅を持たせて行うことが可能となる。
本発明の食品包装袋に包装される食品としては、例えば、固形状、ゲル状、液体状の食品が挙げられ、その食品が個々に包装されていても非包装のものであってもよく、具体的に、例えば、ポテトチップ、ポップコーン、ビスケット、クラッカー等のスナック菓子や、パン、ゼリー、グミ、キャンディー、ドライフルーツ、即席麺、茹で麺、レトルト食品等が挙げられる。
【０００９】
収納袋としては、合掌シール部を有して食品を収納することができれば特に制限されるものではなく、例えば、ピロー包装体やガゼット包装体等が挙げられ、材質としては、例えば、ＯＰＰ／ＰＥ，ＯＰＰ／ＣＰＰ，ＯＰＰ／ＥＶＯＨ／ＰＥ，ＯＰＰ／ＶＭＰＥＴ／ＣＰＰ，ＯＰＰ／ＶＭＣＰＰ，ＫＯＰ／ＰＥ，ＫＯＰ／ＣＰＰ，ＰＥＴ／ＰＥ，ＰＥＴ／ＣＰＰ，ＫＰＥＴ／ＰＥ，ＯＮ／ＰＥ，ＯＮ／ＣＰＰ，ＫＯＮ／ＰＥ，ＰＥＴ／ＶＭＰＥＴ／ＰＥ，ＰＥＴ／ＡＬ／ＰＥ，ＰＥＴ／ＡＬ／ＣＰＰ等の組み合わせのものが挙げられる。
【００１０】
把持部材としては、収納袋に取り付けられた開封時に把持して開封を容易にすることができるものであれば特に制限されるものではなく、例えば、木製、プラスチック製、金属製の部材が挙げられ、その形状や配置場所等も特に制限されず、形状としては、例えば、棒状、塊状のもの等が挙げられ、棒状のものが好ましい。配置場所としては、収納袋の内側、外側であってもよく、また、合掌シール部に取り付けてもよく、合掌シール部が設けられた面の対向面側に配置してもよいが、合掌シール部が設けられた面の対向面側に配置することが、合掌シール部と把持部材とを把持することにより開封することができ、より容易に開封できるので好ましく、把持部材が棒状部材の場合、合掌シール部と対向して平行に配置されることが特に好ましい。また、合掌シール部とその対向面側の両方にそれぞれ把持部材を設けてより容易に開封することができるようにすることも可能である。
【００１１】
かかる把持部材は、収納された食品を食することが可能な食用部材であることが好ましい。即ち、この把持部材を用いて容易に開封することができると共に、この把持部材を用いて収納された食品を食することが可能となる。また、スナック菓子等の油分が比較的多い食品に対しては、把持部材によって食品を食することができるので、作業に使用する物（本、ペン、キーボード、トランプ、麻雀牌、ゲーム機等）を汚すことなく作業を行うことが可能となり、手を拭く必要がないので作業効率が向上し、さらに、複数の食品を食べる場合にも手が汚れていないので、次の包装体を開封する場合には、きれいな手で把持部材を把持して開封することができ、従来に比べて極めて容易に開封することが可能となる。
【００１２】
食用部材としては、食品を食するのに用いることができれば特に制限されるものではなく、食品に応じて適宜選択することができ、例えば、はし（割りばし）、くし、ストロー、スプーン、フォーク、ナイフ、トング等が挙げられ、はし、くし等の棒状部材であることが把持しやすく包装体の開封がより容易となることから好ましく、所定の幅をもった棒状部材が特に好ましい。割りばしの場合は、はしの幅方向が外装面に対して垂直となるように配置することがより把持しやすいので好ましい。
【００１３】
また、前記把持部材は包装されていることが好ましい。把持部材を包装することにより、把持部材を清潔に保って食用部材として用いることができる。把持部材の包装は、収納袋とは別途包装して取り付けてもよいし、収納袋の一部によって包装されていてもよいが、収納袋の一部によって包装されることが好ましい。収納袋の一部によって包装されている場合、収納袋は、多くの場合、上下部（縁シール部）に切れ込み（Ｖカット部）を有しているので、別途切れ込みを設けなくても、その部分から引き裂いて把持部材を容易に取り出すことができる。なお、切れ込みがない場合には、別途切れ込みを設けることも可能である。
【００１４】
また、本発明の食品包装体は、上記食品包装袋と、該食品包装袋に収納された食品とを備えていれば特に制限されるものではなく、食品としては、上述した食品が挙げられる。
【００１５】
以下、図面を参照しつつ本発明をより具体的に説明するが、本発明の技術的範囲はこれらの例示に限定されるものではない。図１は本発明の一実施形態に係る食品包装袋の斜視図であり、図２は図１に示す食品包装袋の開封状態を示す図であり、図３は図１に示す食品包装袋から把持部材（食用部材）を取り出した状態を示す図である。
【００１６】
図１に示すように、本発明の一実施形態に係る食品包装袋１０は、対向する縁シール部１２，１４及び対向する縁シール部１２，１４を連結するように形成された合掌シール部１６を有する食品を収納するための収納袋１８と、収納袋１８に取り付けられた開封時に把持して開封を容易にするための把持部材の一例である割りばし２０とを備えている。
収納袋１８は、例えば、縦３０センチ横２０センチ程度のプラスチックフィルムからなって、上下に対向して設けられた縁シール部１２，１４及びその縁シール部１２，１４を連結するように形成された合掌シール部１６によって密封され、内部に食品の一例であるスナック菓子を収納する。また、収納袋１８は、合掌シール部１６が設けられた面の対向面側（図面上手前側）の外装面外側に割りばし２０を収納することができる把持部材包装部２８を備えている。この把持部材包装部２８は、把持部材包装部２８の基部３０を上下方向にシールすることにより収納袋１８の一部から形成されている。また、収納袋１８の上下（合掌シール部１６及び把持部材包装部２８を含む。）には、Ｖカット部２２，２４が形成されている。把持部材包装部２８に収納される割りばし２０は、その幅方向が収納袋１８の外装面に対して垂直となるように収納されている。
【００１７】
以上のように構成された食品包装袋１０を開封するには、合掌シール部１６及び割りばし２０をそれぞれ左右の手で把持して両側に引っ張る。食品包装袋１０においては、割りばし２０を把持して開封するので非常に容易に開封することができる。そして、図２及び図３に示すように、把持部材包装部２８にもＶカット部２２が形成されているので、かかるＶカット部２２から把持部材包装部２８の一部を引き裂き、割りばし２０を取り出す。このように、収納袋１８に形成されたＶカット部２２を利用して把持部材包装部２８に収納された割りばし２０を容易に取り出すことができる。この割りばし２０を利用して、収納袋１８に収納されているスナック菓子を食する。食品包装袋１０においては、割りばし２０を食するときに用いることができるので、作業に使用する物を汚すことなく作業を行うことが可能となり、手を拭く必要がないので作業効率が向上する。また、次の食品包装袋を開封する場合にも、きれいな手で把持部材を把持して開封することができ、従来に比べて極めて容易に開封することが可能となる。
【００１８】
次に、本発明の他の実施形態に係る食品包装袋について説明する。図４は、本発明の他の実施形態に係る食用包装体の斜視図である。図４に示すように、本発明の他の実施形態に係る食品包装袋４０は、把持部材包装部４２が、外装面の内側に、収納袋４４の一部によって形成された形態である。かかる構成の食品包装袋４０によっても、上記食品包装袋１０と同様の効果を得ることができる。さらに、このような構成によれば、外装面に凹凸が形成されず平面的であるので、把持部材包装部を気にすることなく従来と同じように商品名等を表示することができる。
【図面の簡単な説明】
【００１９】
【図１】本発明の一実施形態に係る食品包装袋の斜視図である。
【図２】図１に示す食品包装袋の開封状態を示す図である。
【図３】図１に示す食品包装袋から把持部材（食用部材）を取り出した状態を示す図である。
【図４】本発明の他の実施形態に係る食用包装体の斜視図である。
【符号の説明】
【００２０】
１０，４０    食品包装袋
１２，１４    縁シール部
１６          合掌シール部
１８，４４    収納袋
２０          割りばし（把持部材）
２２，２４    Ｖカット部
２８，４２    把持部材包装部
【図１】
2005145532.tif 000003
【図２】
2005145532.tif 000004
【図３】
2005145532.tif 000005
【図４】
2005145532.tif 000006